(57)【要約】【課題】  親綱支柱締付具の強度を保ちつつ、咥えこみ幅を拡幅し、幅のある部材にも使用できる親綱支柱を提供する。【解決手段】  上部に親綱支柱取付部のある支柱本体と、支柱締付具本体、支柱締付顎具とからなり、前記支柱本体と前記支柱締付具本体、支柱締付下顎具は一体化される。前記支柱締付具本体と前記支柱締付顎具は、前記支柱締付具本体に設けられた複数の穴と前記支柱締付顎具に設けられた複数の穴をボルト等の締付部品により随時取り付けられ、段階的に幅の調整が出来る。【選択図】図１３
2009250018.tif 000002
【特許請求の範囲】
【請求項１】
上部に親綱取付部のある支柱本体と、支柱締付具本体、支柱締付下顎具とからなり、前記支柱本体と前記支柱締付具本体、前記支柱締付下顎具は一体になる事を特徴とする親綱支柱である。
【請求項２】
前記支柱締付具本体と前記支柱締付下顎具は、前記支柱締付具に設けられた複数の穴と前記支柱締付下顎具に設けられた複数の穴をボルト等の締付部品により、締付けするのを特徴とする請求項１記載の親綱支柱である。
【請求項３】
前記支柱締付具本体に設けられた複数の穴と、前記支柱締付顎具に設けられた複数の穴の位置を合わせ、上下に高さが調整でき、前記支柱締付具本体と前記支柱締付顎具をボルト等の締付部品で取り付けられることを特徴とする請求項１又は請求項２記載の親綱支柱である。
【請求項４】
前記支柱締付顎具が上下に段階的に高さ調整が出来るため、前記支柱締付具本体の締付ボルトと、前記支柱締付顎具を鉄骨等の部材にあわせ、前記支柱締付具本体の締付ボルトとの間隔を出来るだけ狭くでき、前記支柱締付具本体の締付ボルトが、同一軸方向以外の外力を受けた時による変形を極力少なくすることを特徴とする請求項１、請求項２または請求項３記載の親綱支柱である。
【請求項５】
幅のある部材であっても前記支柱締付具本体の締付部位が固定されていて、前記支柱締付顎具を上下に移動させ取り付けることができ、幅のある部材を締付る時も前記支柱締付具本体の締付ボルトの締め込み長だけが変化するため、ほとんど本親綱支柱の高さが変位しないことを特徴とする請求項１から請求項４のいずれか記載の親綱支柱である。
【発明の詳細な説明】
【技術分野】
【０００１】。
本発明は、親綱支柱の形状に関する。
【背景技術】
【０００２】  従来の親綱支柱には、建枠足場等を利用する親綱支柱、その他特殊な使用を目的とする場合を除き、工事現場では鉄骨のフランジに取り付ける形の場合がほとんどである。
【特許文献１】  特開２００７−２８４９４１号  公報
【特許文献２】  特開２００４−２１１４０２号  公報
【非特許文献１】  「コンドーテック総合カタログ２３−１」、コンドーテック株式会社、２００３年、ｐ、４１７
【発明の開示】
【発明が解決しようとする課題】
【０００３】  しかしながら昨今の工事現場では、多種多様で鉄骨はもちろん、工法、産業機器にいたるまで大型化し、鉄骨以外にも使える親綱支柱の需要が増えてきた。そこでこの発明は、強度を保ちつつ、幅のある部材にも使用できる親綱支柱を提供する事を課題とする。
【課題を解決するための手段】
【０００４】  以上の課題を解決するために、第一発明は鉄骨等の部材に合わせ、調整できるように支柱本体、支柱締付具本体、支柱締付顎具の三体から一体化することを特徴とする親綱支柱である。【０００５】  第二発明は支柱締付具本体と支柱締付顎具と別体になっていて、支柱締付具本体に設けられた複数の穴と、支柱締付顎具に設けられた複数の穴との位置を合わせボルト等の締付部品で取り付けられる事を特徴とする親綱支柱である。【０００６】  第三発明は部材の幅に合わせ、支柱締付具本体に設けられた複数の穴と、支柱締付顎具に設けられた複数の穴との位置をあわせ、ボルト等の締付部品で締付け、支柱締付顎具を上下に調整できる事を特徴とする親綱支柱である。【０００７】  第四発明は支柱締付顎具が部材の幅に合わせ上下に調整できるため、支柱締付具本体の締付ボルトの最大開口から締付方向への移動距離を極力少なくし、締付ボルト先端部から支柱締付顎具の間隔を出来るだけ狭くでき、支柱締付具本体の締付ボルトが同一軸方向以外の外力を受けた時による変形を極力少なくすることを特徴とする親綱支柱である。【０００８】  第五の発明は幅のある部材であっても支柱締付顎具が上下に調整でき、支柱締付具本体の締付ボルトが鉄骨等の部材を締め付けるだけの上下移動のみであるため、鉄骨等の部材から親綱支柱上端部までの高さがほとんど変位しない親綱支柱である。
【発明の効果】
【０００９】  上述したように本発明の親綱支柱は、鉄骨または幅の広い部材等に合わせ、随時支柱下顎具を調整し、簡単に取り付けられることができ、堅固な効果を持つものである。
【発明を実施するための最良の形態】
【００１０】  以下、この発明の実施の形態を図１〜図１３に基づいて説明する。【００１１】  図１の本親綱支柱は、使用時の完成品である。親綱支柱は支柱本体１と支柱締付具本体２と支柱締付顎具３とで構成される。【００１２】  支柱本体１は本支柱上部に親綱を取り付けることが出来る親綱取付部９を備える。その親綱取付部９の形状はこのＵの字型の物に限定されるものではなく、様々な形状が考えられる。【００１３】  支柱締付部本体２は図７に示すとおり箱状になっていて、支柱本体１がその箱状になった開口部へ差し込む構造となっている。支柱本体１が下へ抜け出さないように底板１１があり、何らかの外部からの力が相乗し支柱本体から抜け落ちないよう、抜け落ち防止ボルト１０を取り付ける。【００１４】  支柱本体１の材料、耐荷重等その他条件により設定されるもので、目的を達成できる範囲で決定する。【００１５】  支柱締付具本体２の構造は、図７に示すとおり締付ボルト固定部４を高ナットが外力により変形しない様に補強板ア１３で強度を高める、補強板ア１３片端部を高ナットの平部中央くらいから、複数の穴が設けられたプレートｂ１６をはさみ、箱状を形成している開口部短編につなぐ様に、補強板ア１３の反対側端部を一体化する。【００１６】  支柱締付具本体２の複数の穴が設けられたプレート１６ｂは、図８の示す支柱締付顎具３がボルト等の締付部品で締結される様、支柱締付具本体２側の穴と、支柱締付顎具３側の穴とを等間隔で貫通穴を設けボルト等の締付部品で締結する。【００１７】  支柱締付具本体２の複数の穴が設けられたプレートｂ１６の穴の上下間の間隔と支柱締付顎具３の複数の穴が設けられたプレートａ１５の穴の上下間の間隔を等間隔で設定し、その他条件等により貫通穴を複数設け、鉄骨等の部材の厚さに近い適正な位置に支柱締付顎具３を移動させ、ボルト等の締付部品８で締結する。【００１７】  支柱締付具本体２の材料、耐荷重等その他条件により、設定変更されるもので、目的を達成できる範囲で決定する。【００１８】  支柱締付顎具３は、支柱締付具本体２の複数の穴が設けられたプレートｂ１６の穴の位置と支柱締付顎具３の複数の穴が設けられたプレートａ１５の穴の位置を等間隔に貫通する穴を設け、ボルト等の締付部品８で締結する。【００１９】  支柱締付顎具３は、支柱締付具本体２と一体化する。外力による変形を防ぐため、図８、９の示すとおり補強板イ１４を取り付ける。【００２０】  支柱締付顎具３の材料、耐荷重等その他条件により、設定変更されるもので、目的を達成できる範囲で決定する。【００２１】  ボルト等の締結部品８の材料、耐荷重等その他条件により、設定変更されるもので、目的を達成できる範囲で決定する。
【図面の簡単な説明】
【００２２】
【図１】本発明の実施形態一例を示す親綱支柱を締め付ける側から見た正面図
【図２】同親綱支柱の側面図
【図３】同親綱支柱の支柱本体の正面図
【図４】同親綱支柱の支柱本体の側面図
【図５】同親綱支柱の支柱締付具本体の正面図
【図６】同親綱支柱の支柱締付具本体の側面図
【図７】同親綱支柱の支柱締付具本体の平面図
【図８】同親綱支柱の支柱締付顎具の正面図
【図９】同親綱支柱の支柱締付顎具の側面図
【図１０】同親綱支柱の支柱締付顎具の平面図
【図１１】同親綱支柱の鉄骨の取付図
【図１２】同親綱支柱の幅の広い部材の取付図
【図１３】同親綱支柱の鉄骨と幅の広い部材の取付図
【符号の説明】
【００２３】１  支柱本体
２  支柱締付具本体
３  支柱締付顎具
４  締付ボルト固定部
５  回り止
６  締付ボルト
７  取手
８  ボルト等の締付部品
９  親綱取付部
１０  抜け落ち防止ボルト
１１  底板
１２  支柱締付顎具天板
１３  補強板ア
１４  補強板イ
１５  複数の穴が設けられたプレートａ
１６  複数の穴が設けられたプレートｂ
【図１】
2009250018.tif 000003
【図２】
2009250018.tif 000004
【図３】
2009250018.tif 000005
【図４】
2009250018.tif 000006
【図５】
2009250018.tif 000007
【図６】
2009250018.tif 000008
【図７】
2009250018.tif 000009
【図８】
2009250018.tif 000010
【図９】
2009250018.tif 000011
【図１０】
2009250018.tif 000012
【図１１】
2009250018.tif 000013
【図１２】
2009250018.tif 000014
【図１３】
2009250018.tif 000015